(57)【要約】【課題】撮影者が所望する偏光効果が得られるように、回転偏光フィルタの回転角度位置を迅速かつ確実に調整することができる撮像装置を提供する。【解決手段】被写体を撮像する撮像部と、この撮像部の前方に回転可能に設けられた回転偏光フィルタと、この回転偏光フィルタを回転駆動させる回転駆動部とを有する撮像装置において、前記回転駆動部による前記回転偏光フィルタの回転角度位置にかかわらず、前記撮像部によって撮像される被写体像をリアルタイムに動画像として表示するライブビュー画像表示部と、前記回転駆動部による前記回転偏光フィルタの所定の回転角度位置で、前記ライブビュー画像表示部に表示された動画像をキャプチャして静止画像として表示するコンペア画像表示部と、を併設したことを特徴とする撮像装置。【選択図】図５
2013051551.tif 000002
【特許請求の範囲】
【請求項１】
被写体を撮像する撮像部と、この撮像部の前方に回転可能に設けられた回転偏光フィルタと、この回転偏光フィルタを回転駆動させる回転駆動部とを有する撮像装置において、
前記回転駆動部による前記回転偏光フィルタの回転角度位置にかかわらず、前記撮像部によって撮像される被写体像をリアルタイムに動画像として表示するライブビュー画像表示部と、
前記回転駆動部による前記回転偏光フィルタの所定の回転角度位置で、前記ライブビュー画像表示部に表示された動画像をキャプチャして静止画像として表示するコンペア画像表示部と、を併設したことを特徴とする撮像装置。
【請求項２】
請求項１記載の撮像装置において、
前記コンペア画像表示部は、前記回転駆動部による前記回転偏光フィルタの回転駆動量が所定値を超える度に、前記ライブビュー画像表示部に表示された動画像をキャプチャして、自身に表示する静止画像を更新する撮像装置。
【請求項３】
請求項２記載の撮像装置において、
前記コンペア画像表示部による静止画像の更新表示を停止させ、その停止時点での静止画像を前記コンペア画像表示部に継続して表示させる更新表示停止部をさらに有する撮像装置。
【請求項４】
請求項１ないし３のいずれか１項記載の撮像装置において、
前記ライブビュー画像表示部に表示された動画像または前記コンペア画像表示部に表示された静止画像の一部を選択して拡大表示させる表示拡大部をさらに有する撮像装置。
【請求項５】
請求項４記載の撮像装置において、
前記表示拡大部は、前記ライブビュー画像表示部に表示された動画像または前記コンペア画像表示部に表示された静止画像の一部を選択して拡大表示させたとき、この拡大表示させた部分に対応する部分を、前記コンペア画像表示部に表示された静止画像または前記ライブビュー画像表示部に表示された動画像から抽出して拡大表示させる撮像装置。
【請求項６】
請求項５記載の撮像装置において、
前記表示拡大部は、前記ライブビュー画像表示部に表示された動画像または前記コンペア画像表示部に表示された静止画像の一部を選択して拡大表示させたとき、この拡大表示させた部分からパターン認識によって特定の対象物を探し出し、この特定の対象物を含む部分を、前記コンペア画像表示部に表示された静止画像または前記ライブビュー画像表示部に表示された動画像から抽出して拡大表示させる撮像装置。
【請求項７】
請求項１ないし６のいずれか１項記載の撮像装置において、
前記コンペア画像表示部は、前記回転偏光フィルタの異なる回転角度位置での複数の静止画像を同時に表示可能であり、
前記コンペア画像表示部に同時に表示させる静止画像の数を増減させる静止画像数増減部をさらに有する撮像装置。
【請求項８】
請求項１ないし７のいずれか１項記載の撮像装置において、
前記回転駆動部による前記回転偏光フィルタの回転角度位置を、前記コンペア画像表示部に表示された静止画像に対応する回転角度位置に移行させる回転角度移行部をさらに有する撮像装置。
【請求項９】
請求項１ないし８のいずれか１項記載の撮像装置において、
前記回転偏光フィルタは、前記撮像部の前方に挿脱自在に設けられており、
前記回転偏光フィルタが挿入状態から脱出状態に切り替わったとき、前記ライブビュー画像表示部は、前記回転偏光フィルタの脱出状態において前記撮像部によって撮像される被写体像をリアルタイムに動画像として表示し、前記コンペア画像表示部は、前記回転偏光フィルタの脱出直前の挿入状態において前記ライブビュー画像表示部に表示された動画像をキャプチャして静止画像として表示する撮像装置。
【請求項１０】
請求項１ないし９のいずれか１項記載の撮像装置において、
前記ライブビュー画像表示部は、前記動画像とともに、前記回転偏光フィルタの回転角度位置をリアルタイムに表示し、前記コンペア画像表示部は、前記静止画像とともに、前記静止画像に対応する前記回転偏光フィルタの回転角度位置を表示する撮像装置。
【請求項１１】
請求項１ないし１０のいずれか１項記載の撮像装置において、
前記回転駆動部は、前記回転偏光フィルタを所定角度ずつステップ駆動するステッピングモータである撮像装置。
【発明の詳細な説明】
【技術分野】
【０００１】
本発明は、回転偏光フィルタを介した被写体像を撮影前にモニタで視認可能なライブビュー機能を備えた撮像装置に関する。
【背景技術】
【０００２】
従来、被写体を撮像する撮像部と、この撮像部の前方に回転可能に設けられた回転偏光フィルタと、この回転偏光フィルタを回転駆動させる回転駆動部と、回転偏光フィルタを通って撮像部によって撮像される被写体像をリアルタイムに動画像として表示するモニタとを有する、ライブビュー機能を備えた撮像装置が知られている。このタイプの撮像装置では、回転駆動部により回転偏光フィルタを回転駆動してその回転角度位置を調整することで、撮像部に入射する光束の偏光状態を変化させて、被写体の反射を除去し、あるいはコントラストを高めることができる。
【０００３】
従来のライブビュー機能を備えた撮像装置では、回転偏光フィルタの回転角度位置を調整するために、撮影者がモニタに表示されたライブビュー画像を見て回転偏光フィルタの偏光効果を確認しながら、回転駆動部により回転偏光フィルタを回転させていた。
しかし、モニタに表示されるライブビュー画像は回転偏光フィルタが回転するにつれて時々刻々と移り変わるので、撮影者は、過去に見たライブビュー画像を想像しながら現在のライブビュー画像と比較して回転偏光フィルタの回転角度位置を微調整しなければならない。そのため、撮影者が所望する回転偏光フィルタの偏光効果を得ることが難しく、回転偏光フィルタの回転角度位置の調整に長時間を費やしてシャッターチャンスを逃してしまうおそれがある。
【０００４】
また、回転偏光フィルタの回転角度位置を調整することなく、回転偏光フィルタの各回転角度位置において複数回の撮影を行い、これら複数枚の画像の中から所望の画像を選択することもできる。
しかし、実際には必要としない画像を大量に撮影することになるため、ＣＰＵの演算負担が増大し、所望の画像を得るために長時間を要する。
【０００５】
さらに、特許文献１には、回転駆動部により回転駆動された回転偏光フィルタの各回転角度位置において撮像部により得られた画像データのＰＬ評価値を取得し、取得したＰＬ評価値と回転偏光フィルタの回転角度位置との関係を示した関係グラフをモニタに表示させる撮像装置が開示されている。
しかし、回転偏光フィルタの偏光効果をどのように発現させるかは被写体、撮影者の撮影意図などによってまちまちであり、ＰＬ評価値だけを頼りに回転偏光フィルタの回転角度位置を決める撮像装置では、撮影者が所望する回転偏光フィルタの偏光効果を得ることは難しい。
【先行技術文献】
【特許文献】
【０００６】
【特許文献１】特開２００６−１６５９８６号公報
【発明の概要】
【発明が解決しようとする課題】
【０００７】
本発明は以上の問題意識に基づいて完成されたものであり、撮影者が所望する偏光効果が得られるように、回転偏光フィルタの回転角度位置を迅速かつ確実に調整することができる撮像装置を提供することを目的とする。
【課題を解決するための手段】
【０００８】
本発明の撮像装置は、被写体を撮像する撮像部と、この撮像部の前方に回転可能に設けられた回転偏光フィルタと、この回転偏光フィルタを回転駆動させる回転駆動部とを有する撮像装置において、前記回転駆動部による前記回転偏光フィルタの回転角度位置にかかわらず、前記撮像部によって撮像される被写体像をリアルタイムに動画像として表示するライブビュー画像表示部と、前記回転駆動部による前記回転偏光フィルタの所定の回転角度位置で、前記ライブビュー画像表示部に表示された動画像をキャプチャして静止画像として表示するコンペア画像表示部と、を併設したことを特徴としている。
【０００９】
前記コンペア画像表示部は、前記回転駆動部による前記回転偏光フィルタの回転駆動量が所定値を超える度に、前記ライブビュー画像表示部に表示された動画像をキャプチャして、自身に表示する静止画像を更新することができる。
【００１０】
本発明の撮像装置は、前記コンペア画像表示部による静止画像の更新表示を停止させ、その停止時点での静止画像を前記コンペア画像表示部に継続して表示させる更新表示停止部をさらに有していてもよい。
【００１１】
本発明の撮像装置は、前記ライブビュー画像表示部に表示された動画像または前記コンペア画像表示部に表示された静止画像の一部を選択して拡大表示させる表示拡大部をさらに有していてもよい。
前記表示拡大部は、前記ライブビュー画像表示部に表示された動画像または前記コンペア画像表示部に表示された静止画像の一部を選択して拡大表示させたとき、この拡大表示させた部分に対応する部分を、前記コンペア画像表示部に表示された静止画像または前記ライブビュー画像表示部に表示された動画像から抽出して拡大表示させることが好ましい。
より具体的に前記表示拡大部は、前記ライブビュー画像表示部に表示された動画像または前記コンペア画像表示部に表示された静止画像の一部を選択して拡大表示させたとき、この拡大表示させた部分からパターン認識によって特定の対象物を探し出し、この特定の対象物を含む部分を、前記コンペア画像表示部に表示された静止画像または前記ライブビュー画像表示部に表示された動画像から抽出して拡大表示させることができる。
【００１２】
本発明の撮像装置は、前記コンペア画像表示部を、前記回転偏光フィルタの異なる回転角度位置での複数の静止画像を同時に表示可能として、前記コンペア画像表示部に同時に表示させる静止画像の数を増減させる静止画像数増減部をさらに有していてもよい。
【００１３】
本発明の撮像装置は、前記回転駆動部による前記回転偏光フィルタの回転角度位置を、前記コンペア画像表示部に表示された静止画像に対応する回転角度位置に移行させる回転角度移行部をさらに有していてもよい。
【００１４】
本発明の撮像装置は、前記回転偏光フィルタを、前記撮像部の前方に挿脱自在に設けて、前記回転偏光フィルタが挿入状態から脱出状態に切り替わったとき、前記ライブビュー画像表示部が、前記回転偏光フィルタの脱出状態において前記撮像部によって撮像される被写体像をリアルタイムに動画像として表示し、前記コンペア画像表示部が、前記回転偏光フィルタの脱出直前の挿入状態において前記ライブビュー画像表示部に表示された動画像をキャプチャして静止画像として表示するように構成してもよい。
【００１５】
前記ライブビュー画像表示部は、前記動画像とともに、前記回転偏光フィルタの回転角度位置をリアルタイムに表示し、前記コンペア画像表示部は、前記静止画像とともに、前記静止画像に対応する前記回転偏光フィルタの回転角度位置を表示することができる。
【００１６】
前記回転駆動部は、前記回転偏光フィルタを所定角度ずつステップ駆動するステッピングモータとすることができる。
【発明の効果】
【００１７】
本発明の撮像装置によれば、併設したライブビュー画像表示部とコンペア画像表示部を見比べることで、現在の回転角度位置で得られる偏光フィルタの偏光効果と過去の回転角度位置で得られる偏光フィルタの偏光効果を比較できるため、撮影者が所望する偏光効果が得られるように、回転偏光フィルタの回転角度位置を迅速かつ確実に調整することができる。
【図面の簡単な説明】
【００１８】
【図１】本発明によるデジタルカメラ（撮像装置）の構成を示すブロック図である。
【図２】回転偏光フィルタの周縁部に対峙するフォトインタラプタの構成を示す斜視図である。実際にはフォトインタラプタの凹状の収容空間に回転偏光フィルタが挿入されているが、回転偏光フィルタが一対の対向壁に隠れて判りにくくなってしまうため、この斜視図では偏光フィルタを実際とは異なる位置（フォトインタラプタの凹状の収容空間の上方）に描いている。
【図３】回転偏光フィルタの周縁部に対峙するフォトインタラプタの構成を示す断面図である。
【図４】通常ライブビューモードにおけるＬＣＤモニタの表示状態を示す図である。
【図５】コンペアモードにおけるＬＣＤモニタの表示状態を示す図であって、コンペア画像表示部に表示される静止画像を更新表示する様子を示す図である。
【図６】コンペアモードにおけるＬＣＤモニタの表示状態を示す図であって、コンペア画像表示部に表示される静止画像の更新表示を停止する様子を示す図である。
【図７】コンペアモードにおけるＬＣＤモニタの表示状態を示す図であって、ライブビュー画像表示部に表示された動画像の一部を選択して拡大表示させるとともに、コンペア画像表示部に表示された静止画像のうちこの拡大表示部分に対応する部分を抽出して拡大表示させた様子を示す図である。
【図８】コンペアモードにおけるＬＣＤモニタの表示状態を示す図であって、コンペア画像表示部に同時に表示させる静止画像の数を増加させた様子を示す図である。
【図９】本発明によるデジタルカメラ（撮像装置）の動作を説明するためのフローチャートである。
【発明を実施するための形態】
【００１９】
図１は、本発明によるデジタルカメラ（撮像装置）１００のブロック図である。デジタルカメラ１００は、撮影光軸Ｚ上に位置させて、物体側から順に、固定レンズ１０１と可動のフォーカシングレンズ１０２からなる撮影光学系、及びＣＣＤ（撮像部）１０３を備えている。固定レンズ１０１とフォーカシングレンズ１０２は、入射した被写体光束をＣＣＤ１０３の撮像面１０３ａに結像させる。フォーカシングレンズ１０２は、フォーカシングレンズ駆動手段１０２ａにより駆動制御されて、フォーカシング時に撮影光軸Ｚ方向に移動する。
【００２０】
デジタルカメラ１００は、ＣＰＵ（更新表示停止部、表示拡大部、静止画像数増減部、回転角度移行部、回転角度位置検出部）１０４、Ａ／Ｄ変換器１０５、信号処理回路１０６、画像記録手段１０７、撮影操作手段１０８、及びＬＣＤモニタ１３０を備えている。ＣＰＵ１０４は、デジタルカメラ１００の全体の機能を制御する。Ａ／Ｄ変換器１０５は、ＣＣＤ１０３の撮像面１０３ａに結像した被写体像をアナログ信号からデジタル信号に変換して信号処理回路１０６に送る。信号処理回路１０６は、Ａ／Ｄ変換器１０５から送られたデジタル信号に所定の画像処理を施して画像信号とする。この画像信号は、ＣＰＵ１０４を介して、画像記録手段１０７に記録され、ＬＣＤモニタ１３０に表示される。撮影操作手段１０８は、例えば電源レバー、ズームスイッチ、シャッターボタン、モードダイヤルなどの撮影操作を行うものである。
【００２１】
デジタルカメラ１００は、ＣＣＤ１０３の前方の固定レンズ１０１とフォーカシングレンズ１０２の間に、回転偏光フィルタ１１０を備えている。回転偏光フィルタ１１０は、図示しない挿脱機構によって、撮影光軸Ｚ上（撮影光路内）に位置する挿入位置と、撮影光軸Ｚ（撮影光路）から脱した脱出位置との間で挿脱自在である。回転偏光フィルタ１１０を挿脱する挿脱機構は、例えば特開２００７−３９７０号公報に記載されているように公知である。
【００２２】
回転偏光フィルタ１１０は、その挿入位置において、回転偏光フィルタ駆動手段（回転駆動部）１１１により駆動制御されて、撮影光軸Ｚ回りに回転自在である。図２に示すように、回転偏光フィルタ駆動手段１１１は、回転偏光フィルタ１１０を所定角度ずつステップ駆動するステッピングモータ１１１ａと、ＣＰＵ１０４の指示を受けてステッピングモータ１１１ａを回転制御するモータドライバ１１１ｂとを備えている。回転偏光フィルタ１１０は、被写体光束が通らない周縁部の周方向の一部に位置させて遮光部１１０ａを有している。
【００２３】
回転偏光フィルタ１１０は、自身の偏光方向（偏光格子の方向）に振動する光のみを透過させる機能を持っている。従って、回転偏光フィルタ１１０を撮影光軸Ｚ回りに回転させてその偏光方向（偏光格子の方向）を調整することで、ＣＣＤ１０３に入射する被写体光束の偏光状態を変化させて、被写体の反射を除去し、あるいはコントラストを高めることができる。
【００２４】
デジタルカメラ１００は、回転偏光フィルタ１１０の周縁部に対峙するフォトインタラプタ（回転角度位置検出部）１２０を備えている。図２、図３に示すように、フォトインタラプタ１２０は、撮影光軸Ｚと平行な軸方向に沿って対向する一対の対向壁１２１と、この一対の対向壁１２１を接続する接続壁１２２とを有する凹断面形状のケース１２３を備えている。一対の対向壁１２１と接続壁１２２によって画成される凹状の収容空間１２３ａには、回転偏光フィルタ１１０の周縁部が収容されている。尚、図２の斜視図では、回転偏光フィルタ１１０が一対の対向壁１２１の間に隠れて判りにくくなってしまうため、偏光フィルタ１１０を実際とは異なる位置（フォトインタラプタ１２０の凹状の収容空間１２３ａの上方）に描いている。
【００２５】
物体側の対向壁（図３中の左側の対向壁）１２１の内部には、発光素子１２４と、この発光素子１２４に通電する２本（図示しているのは１本）のリード端子１２４ａが設けられている。像側の対向壁（図４中の右側の対向壁）１２１の内部には、受光素子１２５と、この受光素子１２５に通電する２本（図示しているのは１本）のリード端子１２５ａが設けられている。発光素子１２４（リード端子１２４ａ）と受光素子１２５（リード端子１２５ａ）は、ケース１２３内に設けられた基板１２６上に実装されている。
【００２６】
図３に示すように、フォトインタラプタ１２０では、対向配置された発光素子１２４と受光素子１２５の間の光路上に、回転自在に支持された回転偏光フィルタ１１０の周縁部が位置している。このため、受光素子１２５は、回転偏光フィルタ１１０の遮光部１１０ａが発光素子１２４と受光素子１２５の間の光路上に位置しているときだけ、発光素子１２４から発光された光を受光せず（出力ゼロの状態となり）、その他のときは発光素子１２４から発光され回転偏光フィルタ１１０の周縁部を通過した光を受光する。
【００２７】
ＣＰＵ（回転角度位置検出部）１０４は、回転偏光フィルタ１１０の遮光部１１０ａが発光素子１２４と受光素子１２５の間の光路上に位置している状態を回転偏光フィルタ１１０の初期状態（回転角度位置が０°の状態）として、この初期状態からの回転偏光フィルタ１１０の回転時間、回転パルス、ステップ駆動数などを検出することで、回転偏光フィルタ１１０の回転角度位置を検出する。０°から１８０°の範囲の回転角度位置と１８０°から３６０°の回転角度位置とで回転偏光フィルタ１１０の偏光特性は同じ（回転角度位置がα°とα＋１８０°のときの回転偏光フィルタ１１０の偏光特性は同じ）なので、ＣＰＵ（回転角度位置検出部）１０４は、回転偏光フィルタ１１０の回転角度位置を０°ないし１８０°の範囲内で検出する。
【００２８】
デジタルカメラ１００は、通常ライブビューモードとコンペアモードの設定を切り替えるコンペアスイッチ１４０を備えている。コンペアスイッチ１４０により通常ライブビューモードが設定されているときは、図４に示すように、ＬＣＤモニタ１３０の全面に、ＣＣＤ１０３によって撮像される被写体像がリアルタイムに動画像として表示される。
【００２９】
一方、コンペアスイッチ１４０によりコンペアモードが設定されているときは、図５ないし図８に示すように、ＬＣＤモニタ１３０が、ライブビュー画像表示部１３１とコンペア画像表示部１３２とに左右に分割される。図５ないし図８では、ライブビュー画像表示部１３１に表示される画像とコンペア画像表示部１３２に表示される画像の偏光フィルタ１１０による偏光効果の違いを、破線の形状と太さを変えることで表現している。
【００３０】
ライブビュー画像表示部１３１には、回転偏光フィルタ駆動手段１１１による回転偏光フィルタ１１０の回転角度位置にかかわらず、常に、ＣＣＤ１０３によって撮像される被写体像がリアルタイムに動画像として表示される。またライブビュー画像表示部１３１には、動画像とともに、回転偏光フィルタ１１０の回転角度位置がリアルタイムに表示される。
【００３１】
コンペア画像表示部１３２には、回転偏光フィルタ駆動手段１１１による回転偏光フィルタ１１０の所定の回転角度位置で、ライブビュー画像表示部１３１に表示された動画像をキャプチャした静止画像が表示される。またコンペア画像表示部１３２には、静止画像とともに、この静止画像に対応する回転偏光フィルタ１１０の回転角度位置が表示される。
【００３２】
より具体的に、コンペア画像表示部１３２に表示される静止画像は、回転偏光フィルタ駆動手段１１１による回転偏光フィルタ１１０の回転駆動量が所定値（本実施形態では１０°）を超える度に、ライブビュー画像表示部１３１に表示された動画像をキャプチャすることで更新される。この更新処理は、フォトインタラプタ１２０と協働して回転偏光フィルタ１１０の回転角度位置を検出したＣＰＵ１０４がＬＣＤモニタ１３０に更新指示信号を送ることで実行される。
【００３３】
例えば、図５を参照して、回転偏光フィルタ１１０を初期状態（回転角度位置が０°）から回転させる場合を考える。
図５の上段に示すように、回転偏光フィルタ１１０の回転角度位置が０°ないし１０°の範囲内である場合は、コンペア画像表示部１３２には、回転偏光フィルタ１１０の初期状態（回転角度位置が０°）のときにライブビュー画像表示部１３１に表示された動画像をキャプチャした静止画像が表示される。
やがて回転偏光フィルタ１１０の回転角度位置が１０°を超えると、図５の下段に示すように、コンペア画像表示部１３２に表示される静止画像が、回転偏光フィルタ１１０の回転角度位置が１０°のときにライブビュー画像表示部１３１に表示された動画像をキャプチャした静止画像によって更新される（上書きされる）。
このようにして、コンペア画像表示部１３２に表示される静止画像は、回転偏光フィルタ１１０の回転角度位置が１０°、２０°、３０°、…を超える度に、その超える直前のライブビュー画像表示部１３１に表示された動画像をキャプチャすることで更新される（上書きされる）。従って、回転偏光フィルタ１１０の僅かな回転角度位置の違いによる偏光効果の差異を比較できるため、撮影者が所望する偏光効果を選択しやすくなる。
【００３４】
デジタルカメラ１００は、ＣＰＵ１０４に接続されたスイッチ類として、ＨＯＬＤスイッチ（更新表示停止部）１４１と、ＺＯＯＭスイッチ（表示拡大部）１４２と、ＡＤＤスイッチ（静止画像数増減部）１４３と、ＤＥＬＥＴＥスイッチ（静止画像数増減部）１４４と、回転角度移行スイッチ（回転角度移行部）１４５とを備えている。これらのスイッチ１４１−１４５は、例えば、デジタルカメラ１００のカメラボディに設けたボタンやスライドキーとしてもよいし、ＬＣＤモニタ１３０またはその他の図示しないモニタにタッチパネル方式で設けてもよく、その態様は問わない。
【００３５】
ＨＯＬＤスイッチ１４１が操作されると、ＣＰＵ（更新表示停止部）１０４がＬＣＤモニタ１３０に更新表示停止信号を送ることで、コンペア画像表示部１３２による静止画像の更新表示を停止させ、その停止時点での静止画像をコンペア画像表示部１３２に継続して表示させる（ＨＯＬＤ機能）。これにより、偏光効果の比較対象として残しておきたい静止画像をコンペア画像表示部１３２に固定できるので、撮影者が所望する偏光効果を選択しやすくなる。
【００３６】
例えば、図６を参照して、回転偏光フィルタ１１０の回転角度位置が２０°ないし３０°の範囲内である場合においてＨＯＬＤスイッチ１４１を操作したときを考える。
図６の上段に示すように、回転偏光フィルタ１１０の回転角度位置が２０°ないし３０°の範囲内である場合は、コンペア画像表示部１３２には、回転偏光フィルタ１１０の回転角度位置が２０°のときにライブビュー画像表示部１３１に表示された動画像をキャプチャした静止画像が表示される。
この状態でＨＯＬＤスイッチ１４１が操作されてコンペア画像表示部１３２による静止画像の更新表示が停止されると、図６の下段に示すように、回転偏光フィルタ１１０の回転角度位置が３０°を超えたとしても、コンペア画像表示部１３２に表示される静止画像は、回転偏光フィルタ１１０の回転角度位置が２０°のときの静止画像のままである（更新表示が停止されていなければ回転偏光フィルタ１１０の回転角度位置が３０°のときの静止画像に更新されるはずである）。
【００３７】
ＺＯＯＭスイッチ１４２は、ライブビュー画像表示部１３１に表示された動画像またはコンペア画像表示部１３２に表示された静止画像の一部を選択するスイッチである。ＺＯＯＭスイッチ１４２を操作してライブビュー画像表示部１３１に表示された動画像またはコンペア画像表示部１３２に表示された静止画像の一部を選択すると、ＣＰＵ（表示拡大部）１０４がＬＣＤモニタ１３０に表示拡大信号を送ることで、ライブビュー画像表示部１３１またはコンペア画像表示部１３２にその選択した部分を拡大表示させる（ＺＯＯＭ機能）。これにより、拡大表示した部分に含まれる主要被写体の偏光効果を重点的にチェックできるため、撮影者が所望する偏光効果を選択しやすくなる。
【００３８】
またＣＰＵ（表示拡大部）１０４は、ライブビュー画像表示部１３１に表示された動画像（コンペア画像表示部１３２に表示された静止画像）の一部を拡大表示させたときは、コンペア画像表示部１３２に表示された静止画像（ライブビュー画像表示部１３１に表示された動画像）からその拡大させた部分に対応する部分を抽出して拡大表示させる。
より具体的にＣＰＵ（表示拡大部）１０４は、ライブビュー画像表示部１３１（コンペア画像表示部１３２）に拡大表示させた部分からパターン認識によって特定の対象物（人物、建物、山などの主要被写体）を探し出し、コンペア画像表示部１３２に表示された静止画像（ライブビュー画像表示部１３１に表示された動画像）のうち、この特定の対象物を含む部分を抽出して拡大表示させる。
あるいはＣＰＵ（表示拡大部）１０４は、パターン認識を用いることなく、座標系を用いて拡大表示させるエリアを決めてもよい。
【００３９】
図７の例では、ＺＯＯＭスイッチ１４２を操作して、ライブビュー画像表示部１３１に表示された動画像の一部（特定の対象物は人物）を選択することで、ライブビュー画像表示部１３１にこの選択した部分を拡大表示させている。
同時に、コンペア画像表示部１３２に表示された静止画像から、ライブビュー画像表示部１３１に拡大表示させた部分（特定の対象物である人物）を抽出して拡大表示させている。
【００４０】
コンペア画像表示部１３２は、回転偏光フィルタ１１０の異なる回転角度位置での複数の静止画像を同時に表示するために、複数の画面に分割できる（分割画面の数を選択できる）ようになっている。ＡＤＤスイッチ１４３またはＤＥＬＥＴＥスイッチ１４４が操作されると、ＣＰＵ（静止画像数増減部）１０４がＬＣＤモニタ１３０に静止画像数増減信号を送ることで、コンペア画像表示部１３２に同時に表示する静止画像の数を増減させる（ＡＤＤ機能、ＤＥＬＥＴＥ機能）。コンペア画像表示部１３２を複数の画面に分割して複数の静止画像を同時に表示している場合には、各画面の静止画像に対して、上述したＨＯＬＤスイッチ１４１によるＨＯＬＤ機能とＺＯＯＭスイッチ１４２によるＺＯＯＭ機能を適用することができる。これにより、コンペア画像表示部１３２を分割した複数の画面に、回転偏光フィルタ１１０の異なる回転角度位置での複数の静止画像を同時に表示でき、しかも各画面の静止画像に対してＨＯＬＤ機能とＺＯＯＭ機能を適用できるため、撮影者が所望する偏光効果を選択しやすくなる。
【００４１】
図８の例では、ＡＤＤスイッチ１４３を操作することで、コンペア画像表示部１３２を上下に２分割して、コンペア画像表示部１３２に表示される静止画像の数を１つから２つに増やしている。これにより、例えば、回転偏光フィルタ１１０の回転角度位置が２０°ないし３０°の範囲内である場合において、上側のコンペア画像表示部１３２に、回転偏光フィルタ１１０の回転角度位置が２０°（前回更新角度）のときの静止画像を表示させ、下側のコンペア画像表示部１３２に、回転偏光フィルタ１１０の回転角度位置が１０°（前々回更新角度）のときの静止画像を表示させることができる。またＤＥＬＥＴＥスイッチ１４４を操作すれば、上下に２分割されたコンペア画像表示部１３２を結合して、コンペア画像表示部１３２に表示される静止画像の数を２つから１つに減らすことができる。
【００４２】
回転角度移行スイッチ１４５が操作されると、ＣＰＵ（回転角度移行部）１０４が回転偏光フィルタ駆動手段１１１に回転角度移行信号を送ることで、回転偏光フィルタ駆動手段１１１による回転偏光フィルタ１１０の回転角度位置を、コンペア画像表示部１３２に表示された静止画像に対応する回転角度位置に移行させる。これにより、回転偏光フィルタ１１０を所望の回転角度位置まで簡単かつ短時間で回転させることができる。
【００４３】
続いて、本発明によるデジタルカメラ（撮影装置）１００のライブビュー動作について、図９のフローチャートを参照して説明する。
【００４４】
コンペアスイッチ１４０がオフであるとき（Ｓ１：ＮＯ）、または回転偏光フィルタ１１０が挿入されていないときは（Ｓ３：ＮＯ）、デジタルカメラ１００は通常ライブビューモードとなり、図４に示すように、ＬＣＤモニタ１３０の全面に、ＣＣＤ１０３によって撮像される被写体像がリアルタイムに動画像として表示される。
【００４５】
一方、コンペアスイッチ１４０がオンであり、回転偏光フィルタ１１０が挿入されているときは（Ｓ１：ＹＥＳ、Ｓ３：ＹＥＳ）、デジタルカメラ１００はコンペアモードとなる。つまり、図５ないし図８に示すように、ＬＣＤモニタ１３０が、ライブビュー画像表示部１３１とコンペア画像表示部１３２とに左右に分割される（Ｓ５）。また、ライブビュー画像表示部１３１には、動画像とともに、回転偏光フィルタ１１０の回転角度位置がリアルタイムに表示され、コンペア画像表示部１３２には、静止画像とともに、この静止画像に対応する回転偏光フィルタ１１０の回転角度位置が表示される（Ｓ７）。
【００４６】
デジタルカメラ１００がコンペアモードとなると、ＣＰＵ１０４は、回転偏光フィルタ駆動手段１１１によって回転偏光フィルタ１１０を回転駆動させて、回転偏光フィルタ１１０を初期状態（回転角度位置が０°の状態）にして停止させる（Ｓ９）。すると、コンペア画像表示部１３２には、回転偏光フィルタ１１０の初期状態（回転角度位置が０°の状態）のときにライブビュー画像表示部１３１に表示された動画像をキャプチャした静止画像が表示される（Ｓ１１）。
【００４７】
ＣＰＵ１０４は、回転偏光フィルタ駆動手段１１１を介して、回転偏光フィルタ１１０を初期状態（回転角度位置が０°の状態）から回転駆動し始める（Ｓ１３）。回転偏光フィルタ１１０の回転中にコンペアスイッチ１４０がオフされたときは（Ｓ１５：ＹＥＳ）、デジタルカメラ１００は通常ライブビューモードとなり、図４に示すように、ＬＣＤモニタ１３０の全面に、ＣＣＤ１０３によって撮像される被写体像がリアルタイムに動画像として表示される。
【００４８】
コンペアスイッチ１４０がオフされることなく（Ｓ１５：ＮＯ）、回転偏光フィルタ１１０の回転駆動量が１０°を超えると（Ｓ１７：ＹＥＳ）、ＣＰＵ１０４は、回転偏光フィルタ１１０の回転駆動量をリセットするとともに、コンペア画像表示部１３２に表示される静止画像を、回転偏光フィルタ１１０の回転角度位置が１０°のときにライブビュー画像表示部１３１に表示された動画像をキャプチャした静止画像によって更新する（Ｓ１９）。ＣＰＵ１０４は、回転偏光フィルタ１１０の合計回転駆動量が１８０°に達するまで（Ｓ２１：ＮＯ）、ステップＳ１５からステップＳ１９の処理を繰り返す。これにより、コンペア画像表示部１３２に表示される静止画像は、回転偏光フィルタ１１０の回転角度位置が１０°、２０°、３０°、…を超える度に、その超える直前のライブビュー画像表示部１３１に表示された動画像をキャプチャすることで更新される（上書きされる）。
【００４９】
やがて、回転偏光フィルタ１１０の合計回転角度位置が１８０°に達すると（Ｓ２１：ＹＥＳ）、ＬＣＤモニタ１３０（ライブビュー画像表示部１３１とコンペア画像表示部）によって、回転偏光フィルタ１１０の全ての回転角度位置での偏光効果を視認できたことになるので、ＣＰＵ１０４はコンペアモードでの処理を終了する。
【００５０】
尚、コンペアモードでの処理の終了条件である回転偏光フィルタ１１０の合計回転角度位置は１８０°に限定されず、例えば３６０°や７２０°などであってもよい。あるいは、コンペアスイッチ１４０が操作されてコンペアモードから通常ライブビューモードに移行するまで、回転偏光フィルタ１１０の合計回転角度位置にかかわらずコンペアモードが継続するようにしてもよい。
【００５１】
上述したＨＯＬＤスイッチ１４１によるＨＯＬＤ機能、ＺＯＯＭスイッチ１４２によるＺＯＯＭ機能、ＡＤＤスイッチ１４３によるＡＤＤ機能、ＤＥＬＥＴＥスイッチ１４４によるＤＥＬＥＴＥ機能、及び回転角度移行スイッチ１４５による回転角度移行機能は、デジタルカメラ１００がコンペアモードに滞在している限りにおいて、いつでも起動させることができる。
【００５２】
以上のように、本実施形態によるデジタルカメラ（撮像装置）１００は、回転偏光フィルタ駆動手段（回転駆動部）１１１による回転偏光フィルタ１１０の回転角度位置にかかわらず、ＣＣＤ（撮像部）１０３によって撮像される被写体像をリアルタイムに動画像として表示するライブビュー画像表示部１３１と、回転偏光フィルタ駆動手段１１１による回転偏光フィルタ１１０の所定の回転角度位置で、ライブビュー画像表示部１３１に表示された動画像をキャプチャして静止画像として表示するコンペア画像表示部１３２と、を併設させている。
これにより、併設したライブビュー画像表示部１３１とコンペア画像表示部１３２を見比べることで、現在の回転角度位置で得られる偏光フィルタ１１０の偏光効果と過去の回転角度位置で得られる偏光フィルタ１１０の偏光効果を比較できるため、撮影者が所望する偏光効果が得られるように、回転偏光フィルタ１１０の回転角度位置を迅速かつ確実に調整することができる。
【００５３】
以上の実施形態では、回転偏光フィルタ１１０がＣＣＤ１０３の前方で撮影光軸Ｚ上に位置する挿入状態を前提として説明している。
しかし、回転偏光フィルタ１１０が挿入状態から撮影光軸Ｚから脱した脱出状態に切り替わったときには、ライブビュー画像表示部１３１が、回転偏光フィルタ１１０の脱出状態においてＣＣＤ１０３によって撮像される被写体像をリアルタイムに動画像として表示し、コンペア画像表示部１３２が、回転偏光フィルタ１１０の脱出直前の挿入状態においてライブビュー画像表示部１３１に表示された動画像をキャプチャして静止画像と表示するようにしてもよい。
これにより、併設したライブビュー画像表示部１３１とコンペア画像表示部１３２を見比べることで、回転偏光フィルタ１１０の挿入の有無による見え方の違いを比較できるため、撮影者がより良い写真を撮るための一助とすることができる。
【００５４】
以上の実施形態では、ライブビュー画像表示部１３１とコンペア画像表示部１３２を左右に分割して配置している。しかし、ＬＣＤモニタ１３０の形状によっては、ライブビュー画像表示部１３１とコンペア画像表示部１３２を上下に分割して配置してもよく、分割の態様には自由度がある。
【００５５】
以上の実施形態では、回転偏光フィルタ駆動手段１１１による回転偏光フィルタ１１０の回転駆動量が１０°を超える度に、コンペア画像表示部１３２に表示される静止画像を更新（上書き）している。しかし、コンペア画像表示部１３２に表示される静止画像を更新（上書き）するための回転駆動量は１０°に限定されず、例えば５°、２０°、３０°などとしてもよい。
【００５６】
以上の実施形態では、回転偏向フィルタ１１０を正回転方向に駆動させているが、逆回転方向に駆動した方が有利な場合（例えば所望の回転角度位置に関する情報を有しており逆回転方向に駆動した方が回転偏光フィルタ１１０の回転駆動量を少なくできる場合）は、回転偏向フィルタ１１０を逆回転方向に駆動してもよい。
【００５７】
また、デジタルカメラ１００にコンペアモードが設定されている場合において、ズームスイッチ（撮影操作手段１０８）が操作されてズーミング動作を行うときは、デジタルカメラ１００の動作モードをコンペアモードから通常ライブビューモードに移行させて、ＬＣＤモニタ１３０の全面に、ＣＣＤ１０３によって撮像される被写体像をリアルタイムに動画像として表示するようにしてもよい。
【符号の説明】
【００５８】
１００  デジタルカメラ（撮像装置）
１０１  固定レンズ
１０２  フォーカシングレンズ
１０２ａ  フォーカシングレンズ駆動手段
１０３  ＣＣＤ（撮像部）
１０３ａ  撮像面
１０４  ＣＰＵ（更新表示停止部、表示拡大部、静止画像数増減部、回転角度移行部、回転角度位置検出部）
１０５  Ａ／Ｄ変換器
１０６  信号処理回路
１０７  画像記録手段
１０８  撮影操作手段
１１０  回転偏光フィルタ
１１０ａ  遮光部
１１１  回転偏光フィルタ駆動手段（回転駆動部）
１１１ａ  ステッピングモータ
１１１ｂ  モータドライバ
１２０  フォトインタラプタ（回転角度位置検出部）
１２１  一対の対向壁
１２２  接続壁
１２３  ケース
１２３ａ  収容空間
１２４  発光素子
１２４ａ  リード端子
１２５  受光素子
１２５ａ  リード端子
１２６  基板
１３０  ＬＣＤモニタ
１３１  ライブビュー画像表示部
１３２  コンペア画像表示部
１４０  コンペアスイッチ
１４１  ＨＯＬＤスイッチ（更新表示停止部）
１４２  ＺＯＯＭスイッチ（表示拡大部）
１４３  ＡＤＤスイッチ（静止画像数増減部）
１４４  ＤＥＬＥＴＥスイッチ（静止画像数増減部）
１４５  回転角度移行スイッチ（回転角度移行部）
【図１】
2013051551.tif 000003
【図２】
2013051551.tif 000004
【図３】
2013051551.tif 000005
【図４】
2013051551.tif 000006
【図５】
2013051551.tif 000007
【図６】
2013051551.tif 000008
【図７】
2013051551.tif 000009
【図８】
2013051551.tif 000010
【図９】
2013051551.tif 000011